(57)【要約】【課題】簡易な構成で連続的に汚損度を監視することが可能であり、かつ、ヒステリシスに起因する測定精度の低下を抑制することが可能な汚損検出装置を提供する。【解決手段】汚損検出装置５０は、絶縁基板の表面上に一対の電極が形成された複数の電極基１１０板と、相対湿度を測定する湿度センサ１２０及び湿度計測回路２１０と、電極基板１１０毎に、一対の電極間の表面抵抗率を測定する表面抵抗率計測回路２２０と、一定期間における相対湿度の最高値、及び一定期間における表面抵抗率の最低値から、予め記憶されている汚損量推定情報に基づいて、電極基板の表面の汚損量をそれぞれ推定する処理を実行するＣＰＵ２３０とを含む。【選択図】図１
2018142470.tif 000002
【特許請求の範囲】
【請求項１】
絶縁基板の表面上に一対の電極が形成された複数の電極基板と、
相対湿度を測定するための湿度測定手段と、
前記電極基板毎に、前記一対の電極間の表面抵抗率を測定するための表面抵抗率測定手段と、
一定期間における前記相対湿度の最高値、及び、前記一定期間における前記表面抵抗率の最低値から、予め記憶されている汚損量推定情報に基づいて、前記電極基板の表面の汚損量をそれぞれ推定するための汚損量推定手段とを含む、汚損検出装置。
【請求項２】
前記汚損量推定手段は、
前記一定期間における前記相対湿度の最高値である最高到達湿度Ｈｍａｘ（％ＲＨ）が７０％以上８０％未満であって、前記最高到達湿度Ｈｍａｘと前記一定期間における前記表面抵抗率の最低値Ｒｍｉｎ（ｋΩ）との関係が、前記汚損量推定情報として記憶されている以下の式（１）を満たしていることに応答して、前記電極基板の表面の汚損量を０．０６（ｍｇ／ｃｍ２）以上と推定し、
【数１】
2018142470.tif 000010
前記最高到達湿度Ｈｍａｘが８０％以上９０％未満であることに応答して、前記電極基板の表面の汚損量を、前記汚損量推定情報として記憶されている以下の式（２）から得られるＳ（ｍｇ／ｃｍ２）と推定し、
【数２】
2018142470.tif 000011
前記最高到達湿度Ｈｍａｘが９０％以上であることに応答して、前記電極基板の表面の汚損量を、前記汚損量推定情報として記憶されている以下の式（３）から得られるＳ（ｍｇ／ｃｍ２）と推定する、
【数３】
2018142470.tif 000012
請求項１に記載の汚損検出装置。
【請求項３】
相対湿度及び表面抵抗率の測定期間である前記一定期間を計測するための期間計測手段をさらに含み、
前記期間計測手段は、９：００〜１５：００の範囲内に計測の開始起点を持つ１日を前記一定期間として計測する、請求項１又は請求項２に記載の汚損検出装置。
【請求項４】
前記複数の電極基板の少なくとも１つは、電極間隔が１０ｍｍ以上５０ｍｍ以下に形成された前記一対の電極を持つ、請求項１〜請求項３のいずれかに記載の汚損検出装置。
【請求項５】
前記複数の電極基板を保持するための保持手段をさらに含み、
前記保持手段は、前記一対の電極が上側に位置し、かつ、水平面に対する角度が１０度以下となるように、前記複数の電極基板をそれぞれ傾斜させて保持する、請求項１〜請求項４のいずれかに記載の汚損検出装置。
【発明の詳細な説明】
【技術分野】
【０００１】
本発明は、汚損検出装置に関し、特に、碍子等の絶縁物の汚損を検出する技術に関する。
【背景技術】
【０００２】
碍子は、発変電設備等に設置され、高電圧が印加されるケーブルを支持する。発変電設備が例えば塩害地区にある場合、碍子表面に塩分が付着して汚損される。汚損が進行すると碍子の絶縁性が低下する。そのため、碍子等の絶縁物の汚損程度を常に把握し、必要な時期にクリーニングを行なう必要がある。
【０００３】
碍子の汚損程度を検出する方法として、後掲の特許文献１には、パイロット碍子を用いる方法が開示されている。この方法では、実機（測定対象の碍子）と同一環境に置かれたパイロット碍子を定期的及び自動的に洗浄し、洗浄した水溶液の塩分濃度を測定することによって、碍子の汚損量を検出する。
【０００４】
後掲の特許文献２には、一対の櫛型電極間に流れる電流を測定する方法が開示されている。碍子の汚損が進行すると碍子表面の抵抗値が低下するため、漏れ電流が増加する。特許文献２では、測定した電流と予め設定した値とを比較することによって、碍子表面の汚損を検出する。
【０００５】
後掲の特許文献３には、電極が形成された絶縁板における電極間抵抗値に基づいて、絶縁板表面の塩分付着量を検出する汚損検出センサが開示されている。この汚損検出センサは、絶縁板を冷却するためのペルチェ素子を含む。特許文献３では、ペルチェ素子で絶縁板を冷却することによって絶縁板の表面を結露させ、電極間を湿潤させた状態で抵抗値を測定する。
【０００６】
さらに後掲の特許文献４には、２つの電極が形成された基板を含む抵抗センサを用いて碍子表面の汚損を検出する碍子汚損検出器が開示されている。この碍子汚損検出器は、上記２つの電極が接続されるＣＲ発振回路、及びＣＲ発振回路の出力信号が入力される判定部をさらに含む。２つの電極間のインピーダンスは、抵抗センサ表面の汚損量に応じて変化するため、これによって、ＣＲ発振回路の発振周期も変化する。判定部は、ＣＲ発振回路の発振周期に基づいて、汚損量を計算する。
【先行技術文献】
【特許文献】
【０００７】
【特許文献１】特開２００２−２７９８４３号公報
【特許文献２】特開平８−２２０１５８号公報
【特許文献３】特開平６−２０７９１７号公報
【特許文献４】特開２００４−９５３４７号公報
【発明の概要】
【発明が解決しようとする課題】
【０００８】
特許文献１に開示されたパイロット碍子を用いる方法は、装置及び手間に多大の時間と費用を費やす。加えて、この方法は、連続的に汚損度を監視することが困難である。
【０００９】
一方、特許文献２〜４に開示の方法は、連続的に汚損度を監視することが可能である。しかし、電極間の抵抗は、付着塩分量によってのみ決定されるのではなく、周囲の相対湿度の影響を受ける。その抵抗の挙動は、相対湿度の上昇・下降の変動に対してヒステリシスを持つため、抵抗の測定時点での相対湿度で汚損度を換算すると誤差が生じるという問題がある。特に、塩分付着量が多くなると、後述するように、ヒステリシスも大きくなるため、汚損量の測定誤差が大きくなる。
【００１０】
特許文献３に開示の汚損検出センサは、絶縁板を冷却するためのペルチェ素子を含むため、装置が複雑化すると共に、それによって故障リスクが増加するという不都合もある。
【００１１】
さらに、特許文献１〜４に開示の方法では、碍子のような複雑な構造の絶縁物の汚損度を評価するのが困難であるという問題もある。例えば、碍子の表面は累積汚損しやすい一方、雨により汚損は洗浄される。これに対し、碍子の裏面は台風等の急速に汚損される環境でなければ汚損されにくいものの、一旦汚損すると洗浄されづらい。特許文献１に開示の方法では、パイロット碍子を水溶液に浸けて洗浄を行なうため、表面と裏面とを分離して汚損量を評価することが困難である。同様に、特許文献２〜４に開示の方法でも、表面と裏面とを分離して汚損量を評価することが困難である。
【００１２】
本発明は、上記のような課題を解決するためになされたものであり、本発明の１つの目的は、簡易な構成で連続的に汚損度を監視することが可能であり、かつ、ヒステリシスに起因する測定精度の低下を抑制することが可能な汚損検出装置を提供することである。
【００１３】
本発明のもう１つの目的は、複雑な構造の絶縁物であっても、その絶縁物の汚損度を評価することが可能な汚損検出装置を提供することである。
【課題を解決するための手段】
【００１４】
上記目的を達成するために、本願発明者らが鋭意検討した結果、相対湿度の変動に対して抵抗の挙動がヒステリシスを持つ場合に、一定期間における相対湿度の最高値と表面抵抗率の最低値との関係から汚損量を推定できることを見出し、本発明に至った。
【００１５】
すなわち、本発明の一の局面に係る汚損検出装置は、各々、絶縁基板の表面上に一対の電極が形成された複数の電極基板と、相対湿度を測定するための湿度測定手段と、電極基板毎に、一対の電極間の表面抵抗率を測定するための表面抵抗率測定手段と、一定期間における相対湿度の最高値、及び、一定期間における表面抵抗率の最低値から、予め記憶されている汚損量推定情報に基づいて、電極基板の表面の汚損量をそれぞれ推定するための汚損量推定手段とを含む。
【００１６】
汚損量推定手段は、一定期間における相対湿度の最高値、及び、一定期間における表面抵抗率の最低値から、予め記憶されている汚損量推定情報に基づいて、電極基板の表面の汚損量をそれぞれ推定する。これにより、ヒステリシスの影響を回避した汚損量の推定が可能となる。本汚損検出装置を測定対象である絶縁物と同じ汚損を受ける環境に設置することによって、電極基板の表面の汚損量を推定することにより、測定対象物の汚損量を精度よく推定できる。さらに、本汚損検出装置は、ペルチェ素子のような冷却装置を設けることなく汚損量の推定が可能であるため、装置を簡素化できる。加えて、相対湿度と電極間の抵抗とから汚損量を推定できるため、簡易な構成で連続的に汚損度を監視できる。
【００１７】
本汚損検出装置は、一対の電極が形成された電極基板を複数含み、汚損量推定手段は、電極基板毎に汚損量を推定する。例えば、複数の電極基板の少なくとも１つを、降雨の影響を直接受ける位置に設置し、他の電極基板の少なくとも１つを、台風等の風が強い条件で汚損される位置に設置することによって、各電極基板の測定結果から、天候の影響に応じた汚損度の評価が可能となる。これにより、測定対象の絶縁物が複雑な構造を有していても、例えば表面側と裏面側とを分離して汚損量を評価できる。
【００１８】
好ましくは、汚損量推定手段は、一定期間における相対湿度の最高値である最高到達湿度Ｈｍａｘ（％ＲＨ）が７０％以上８０％未満であって、最高到達湿度Ｈｍａｘと一定期間における表面抵抗率の最低値Ｒｍｉｎ（ｋΩ）との関係が、汚損量推定情報として記憶されている以下の式（１）を満たしていることに応答して、電極基板の表面の汚損量を０．０６（ｍｇ／ｃｍ２）以上と推定し、
【数１】
2018142470.tif 000003
最高到達湿度Ｈｍａｘが８０％以上９０％未満であることに応答して、電極基板の表面の汚損量を、汚損量推定情報として記憶されている以下の式（２）から得られるＳ（ｍｇ／ｃｍ２）と推定し、
【数２】
2018142470.tif 000004
最高到達湿度Ｈｍａｘが９０％以上であることに応答して、電極基板の表面の汚損量を、汚損量推定情報として記憶されている以下の式（３）から得られるＳ（ｍｇ／ｃｍ２）と推定する。
【数３】
2018142470.tif 000005
【００１９】
より好ましくは、汚損検出装置は、相対湿度及び表面抵抗率の測定期間である一定期間を計測するための期間計測手段をさらに含む。この期間計測手段は、９：００〜１５：００の範囲内に計測の開始起点を持つ１日を一定期間として計測する。
【００２０】
さらに好ましくは、複数の電極基板の少なくとも１つは、電極間隔が１０ｍｍ以上５０ｍｍ以下に形成された一対の電極を持つ。
【００２１】
さらに好ましくは、汚損検出装置は、複数の電極基板を保持するための保持手段をさらに含む。この保持手段は、一対の電極が上側に位置し、かつ、水平面に対する角度が１０度以下となるように、複数の電極基板をそれぞれ傾斜させて保持する。
【発明の効果】
【００２２】
以上のように、本発明によれば、簡易な構成で連続的に汚損度を監視することが可能であり、かつ、ヒステリシスに起因する測定精度の低下を抑制することが可能な汚損検出装置を提供できる。
【００２３】
さらに本発明によれば、複雑な構造の絶縁物であっても、その絶縁物の汚損度を評価することが可能な汚損検出装置を提供できる。
【図面の簡単な説明】
【００２４】
【図１】本発明の実施の形態に係る汚損検出装置の構成を示すブロック図である。
【図２】塩分付着量を０〜０．５ｍｇ／ｃｍ２、最高到達湿度を９０％ＲＨ以上としたときの湿度サイクルに対する表面抵抗率の挙動を示す図である。
【図３】最高到達湿度を７０〜９０％ＲＨ、塩分付着量を０．５ｍｇ／ｃｍ２としたときの湿度サイクルに対する表面抵抗率の挙動を示す図である。
【図４】塩分付着量の推定手法を説明するための図である。
【図５】温度及び湿度のトレンドの一例を示す図である。
【図６】汚損検出装置の付着塩分検知部の全体構成を示す斜視図である。
【図７】付着塩分検知部の構成を示す図である。
【図８】図７の８−８線に沿った断面図である。
【図９】電極基板の構成を示す平面図である。
【図１０】図１に示す汚損検出装置で実行されるプログラムの制御構造を示すフローチャートである。
【図１１】他の電極基板の構成を示す平面図である。
【発明を実施するための形態】
【００２５】
以下、本発明を具体化した実施の形態を図面に基づいて詳細に説明する。以下の説明及び図面においては、同一の部品又は構成要素には同一の参照符号及び名称を付してある。それらの機能も同様である。したがって、それらについての詳細な説明は繰返さない。
【００２６】
（実施の形態）
本実施の形態に係る汚損検出装置は、海水塩分（塩化ナトリウム）を主な計測対象とする。本汚損検出装置は、測定対象の碍子（実機）と同じ環境に設置されて、碍子の表面に付着した塩分付着量を汚損量として推定する。
【００２７】
［全体構成］
図１を参照して、本実施の形態に係る汚損検出装置５０は、実機と同じ環境に設置される付着塩分検知部１００と、付着塩分検知部１００と接続されて装置全体を制御する制御装置２００とを含む。
【００２８】
付着塩分検知部１００は、絶縁基板の表面に一対の電極パターンが形成された電極基板１１０と、周囲の相対湿度を測定する湿度センサ１２０とを含む。付着塩分検知部１００は、有線又は無線により、制御装置２００と通信可能に接続されている。本実施の形態では、付着塩分検知部１００は、コネクタ１３０に接続されたケーブル６０により、制御装置２００と有線接続されている。付着塩分検知部１００の詳細については後述する。
【００２９】
制御装置２００は、湿度計測回路２１０、表面抵抗率計測回路２２０、ＣＰＵ（Ｃｅｎｔｒａｌ  Ｐｒｏｃｅｓｓｉｎｇ  Ｕｎｉｔ）２３０、記録部２４０、及びタイマー２５０を含む。湿度計測回路２１０は、湿度センサ１２０からの信号を受信してデータ信号（デジタル信号）に変換し、その信号をＣＰＵ２３０に供給する。表面抵抗率計測回路２２０は、電極基板１１０の絶縁率（電極パターン間の表面抵抗率）を計測して、その表面抵抗率をデータ信号（デジタル信号）としてＣＰＵ２３０に供給する。
【００３０】
ＣＰＵ２３０は、汚損検出装置５０全体を制御する。ＣＰＵ２３０は、湿度計測回路２１０及び表面抵抗率計測回路２２０から供給されたデータ信号をもとに塩分付着量（汚損量）を推定する処理を実行する。記録部２４０は、ＣＰＵ２３０が汚損検出装置５０を制御するためのプログラム及びデータを記憶する記憶装置を含む。記録部２４０には、塩分付着量（汚損量）の推定処理時に用いられる汚損量推定情報が予め記憶されている。記録部２４０はさらに、湿度センサ１２０及び湿度計測回路２１０を介して取得した相対湿度、表面抵抗率計測回路２２０で計測された電極基板１１０の表面抵抗率、及びこれらのデータからＣＰＵ２３０が推定した塩分付着観測結果（塩分付着量）等のデータを記録するデータ記録装置を含む。タイマー２５０は、相対湿度、及び表面抵抗率の測定期間を計測する。
【００３１】
制御装置２００への給電は、商用電源等からのＡＣ給電であってもよいし、内蔵電池による給電であってもよい。抵抗測定時の印加電圧は、電気分解による電極の腐食を防止するために、交流電圧（例えば５０Ｈｚ〜１ｋＨｚ）であるのが好ましい。
【００３２】
制御装置２００は、データ記録装置に記録されたデータを、図示しないデータ伝送部を介して、有線又は無線により中央監視室などの監視装置（図示せず）にデータ伝送されるよう構成されていると好ましい。制御装置２００は、塩分付着観測結果が所定の値以上である場合に、警報出力を行なうように構成することもできる。このように構成すれば、碍子の汚損の状況、及び碍子の洗浄の要否判断を、中央監視室等で行なうことが可能となる。
【００３３】
［塩分付着量の推定手法］
図２〜図４を参照して、相対湿度の変動に対して表面抵抗率の挙動がヒステリシスを持つ場合に、塩分付着量（汚損量）の推定を可能とする手法を見出すために行なった実験について説明する。
【００３４】
本願発明者らは、表面に一対の電極パターンが形成された絶縁基板（電極基板）を作製し、相対湿度を変動させながら電極パターン間の表面抵抗率を測定する実験を行なった。図２及び図３にその結果を示す。図２には、塩分付着量を０〜０．５ｍｇ／ｃｍ２の範囲で変動させたときの湿度サイクルに対する表面抵抗率の挙動が示されている。相対湿度の最高値である最高到達湿度は９０％ＲＨ以上である。図３には、塩分付着量を０．５ｍｇ／ｃｍ２とし、最高到達湿度を７０〜９０％ＲＨの範囲で変動させたときの湿度サイクルに対する表面抵抗率の挙動が示されている。図２及び図３のグラフの横軸は相対湿度（％ＲＨ）であり、縦軸は対数で示される表面抵抗率（ｋΩ）である。
【００３５】
本測定は、低湿度条件から開始し、湿度を上昇させた後に、再び低湿度としている。その時間経過を矢印で図中に示している。付着した塩分の潮解性の影響により、湿度上昇時と湿度下降時で、相対湿度に対する表面抵抗率の挙動は一致していない。
【００３６】
図２及び図３より、以下のことが確認できた。
（１）図２を参照して、塩分付着量が増加すると表面抵抗率が低下する。
（２）図２及び図３を参照して、相対湿度の上昇・下降サイクルに対してヒステリシスが存在する。特に、塩分付着量が多くなると、ヒステリシスが大きくなる。さらに、表面抵抗率の最低値が相対湿度の最高値とは必ずしも一致しない。したがって、絶縁物抵抗率は、瞬時の相対湿度の関数で規定できない。
（３）図３（Ａ）を参照して、相対湿度が７０％ＲＨ以下の領域では、相対湿度の上昇・下降サイクルに対して、表面抵抗率の顕著な低下は確認されなかった。
（４）図２（Ｃ）〜（Ｅ）及び図３（Ｃ）〜（Ｅ）を参照して、相対湿度の上昇過程における７０％ＲＨ以上８０％ＲＨ未満の領域では、０．０６ｍｇ／ｃｍ２以上の塩分付着量に対して、表面抵抗率Ｒは相対湿度Ｈの関数として、概略、以下の式で示される関係がある。
【数４】
2018142470.tif 000006
この式は、線分Ｌで図中に示されている。
一方、この領域において、０．０６ｍｇ／ｃｍ２以上の塩分付着量に対する表面抵抗率（絶縁物抵抗率）の差異は明確ではなかった。
（５）図２（Ｃ）〜（Ｅ）及び図３（Ｄ）〜（Ｅ）を参照して、相対湿度の上昇過程における８０％ＲＨ以上９０％ＲＨ未満の領域では、塩分付着量の増加に対する表面抵抗率の差異が確認できた。
（６）図２（Ｄ）〜（Ｅ）を参照して、相対湿度が９０％ＲＨに至ると、表面抵抗率の最低値は飽和する傾向にある。そのときの塩分付着量は、表面抵抗率に概略反比例する。
【００３７】
これらの結果を踏まえて、本願発明者らは、以下のプロセスを採用することにより、絶縁物（碍子）表面の塩分付着量を推定できることを見出した。
【００３８】
すなわち、
（ａ）一定期間に、継続して相対湿度及び表面抵抗率の測定を行ない、期間中の湿度最高値（最高到達湿度）及び最低抵抗値（表面抵抗率の最低値）を求める。
（ｂ）最高到達湿度と表面抵抗率の最低値とから、塩分付着量を以下の通り推定する。
（ｂ−１）最高到達湿度が７０％ＲＨ未満の場合
この領域では塩分付着量の推定を行なわない。
（ｂ−２）最高到達湿度が７０％ＲＨ以上８０％ＲＨ未満の場合
最高到達湿度をＨｍａｘ（％ＲＨ）、表面抵抗率の最低値をＲｍｉｎ（ｋΩ）とした場合に、以下の式（４）を満たすときに、０．０６ｍｇ／ｃｍ２以上の塩分付着量と推定する。
【数５】
2018142470.tif 000007
上記式（４）を満たさない場合は、０．０６ｍｇ／ｃｍ２未満の塩分付着量と推定する。
（ｂ−３）最高到達湿度が８０％ＲＨ以上９０％ＲＨ未満の場合
塩分付着量を、以下の式（５）から得られるＳ（ｍｇ／ｃｍ２）と推定する。
【数６】
2018142470.tif 000008
（ｂ−４）最高到達湿度が９０％ＲＨ以上の場合
塩分付着量を、以下の式（６）から得られるＳ（ｍｇ／ｃｍ２）と推定する。
【数７】
2018142470.tif 000009
【００３９】
図４を参照して、上記プロセスによる塩分付着量の推定手法について、より具体的に説明する。相対湿度７０％ＲＨ未満の領域Ｒ１に最高到達湿度がある場合は、上述のように、塩分付着量の推定を行なわない。相対湿度７０％ＲＨ以上８０％ＲＨ未満の領域Ｒ２に最高到達湿度がある場合は、上記した線分Ｌで示される式にて、塩分付着量の推定値を０．０６ｍｇ／ｃｍ２以上とするか、０．０６ｍｇ／ｃｍ２未満とするかを判定する。塩分付着量が０．０６ｍｇ／ｃｍ２以上の場合、表面抵抗率の最低値Ｒｍｉｎは線分Ｌの下側に位置する。そのため、領域Ｒ２において、表面抵抗率の最低値Ｒｍｉｎが上記した式（４）を満たす場合は、塩分付着量は０．０６ｍｇ／ｃｍ２以上と推定できる。
【００４０】
相対湿度８０％ＲＨ以上の領域Ｒ３に最高到達湿度がある場合は、上記した式（５）又は式（６）により塩分付着量が推定される。ただし、相対湿度９０％ＲＨ以上の領域では、上述のように、表面抵抗率の最低値は飽和し、そのときの塩分付着量は表面抵抗率に概略反比例するため、塩分付着量Ｓ（ｍｇ／ｃｍ２）はＢ／Ｒｍｉｎと推定できる。一方、相対湿度８０％ＲＨ以上９０％ＲＨ未満の領域では、上述のように、塩分付着量の増加に伴い表面抵抗率が変化するため、塩分付着量Ｓ（ｍｇ／ｃｍ２）はＢ／Ｒｍｉｎより大きいと推定する。
【００４１】
本実施の形態に係る汚損検出装置５０は、このようなプロセスを実行するようプログラムされている。記録部２４０に記憶される汚損量推定情報は、塩分付着量の推定に用いる上記式（４）〜式（６）を含む。本実施の形態では、式（４）の定数ＡはＡ＝１とされており、式（５）及び式（６）の定数ＢはＢ＝２．５とされている。
【００４２】
［測定期間］
上記プロセス（ａ）における「一定期間」は、例えば１日とするのが好ましい。相対湿度及び表面抵抗率の測定には、温度が低下し、高湿度となり易い夜間のデータを含むよう測定するのが好ましく、一定期間を１日に設定すれば、こうした条件を満たすことができる。一定期間の計測の開始起点は、比較的相対湿度が低い時間帯であるのが好ましい。初回の測定時に相対湿度が比較的低いにもかかわらず、表面抵抗率が低い場合は、測定期間前の高湿度の影響を受けている可能性がある。この場合、一旦、表面抵抗率が上昇するまで測定を保留するのが好ましい。測定期間前の高湿度の影響を受ける可能性を低減するためには、一定期間の計測の開始起点は、昼間の時間帯（例えば午前９時〜午後３時の範囲）とするのが好ましい。測定期間（一定期間）は、タイマー２５０（図１参照）によって計測される。
【００４３】
図５に、屋外環境における温度及び相対湿度のトレンドの一例を示す。図５（Ａ）は外気温の経時変化を示しており、図５（Ｂ）は相対湿度の経時変化を示している。図５（Ａ）及び図５（Ｂ）の横軸は、測定日数（日）を示している。この例では、測定日数は１０日間である。横軸の１目盛が１日であり、それぞれの目盛位置が真夜中（午後１２時）に対応している。
【００４４】
図５を参照して、夜間から明け方にかけて気温が低下し、その結果として相対湿度が上昇している。屋外環境では夜間の気温低下に伴って、夜間から明け方にかけて高湿度となることが頻繁にある。このことからも、比較的湿度の低いことが多い昼間の時間帯を測定の開始起点とすることで、塩分付着量の推定を容易に行なうことが可能となることがわかる。測定期間中の最高到達湿度は、いずれも、７０％ＲＨ以上である。
【００４５】
汚損検出装置５０（付着塩分検知部１００）は、実機と同じ環境に設置するため、想定される設置場所は主に屋外環境となる。屋外環境では、夜間時又は雨天時等に高湿度となることが頻繁にあると想定されるため、塩分付着量の推定を行なわない、最高到達湿度が７０％ＲＨ未満となる日はそれほど多くない。一定期間の測定を繰返し連続して行なう場合に、ほとんどの測定期間で塩分付着量の推定を行なうことが可能となる。なお、最高到達湿度が高いにも関わらず、表面抵抗率が低い場合は、塩分以外の付着物（例えば鳥の糞、塵埃等）の影響が考えられる。
【００４６】
［付着塩分検知部１００の構成］
図６〜図８を参照して、付着塩分検知部１００は、上記電極基板１１０と、電極基板１１０を保持する筐体（ケース）１４０と、筐体１４０内に配置された上記湿度センサ１２０とを含む。筐体１４０は、上面及び側面の一部が開放されている。この筐体１４０には、電極基板１１０が複数枚保持されている。本実施の形態では、３枚の電極基板１１０Ａ、１１０Ｂ及び１１０Ｃが筐体１４０に保持されている。電極基板１１０Ａ、１１０Ｂ及び１１０Ｃは、互いに同一の構成を有しており、総称する場合は電極基板１１０と呼ぶ。
【００４７】
図９を参照して、電極基板１１０は、ガラスエポキシ、又はセラミック等からなる絶縁基板１１２と、絶縁基板１１２の表面上に形成された一対の電極１１４とを含む。一対の電極１１４は、金属等の導体から構成されており、絶縁基板１１２の表面上に、一方の電極が他方の電極を取り囲むように形成されている。具体的には、一対の電極１１４は、同心円状にパターン化されている。電極基板１１０は、電極１１４の腐食防止を目的に、金メッキ等の処置が実施されていると好ましい。
【００４８】
一対の電極１１４間の距離（電極間隔）ｄ１は、１０ｍｍ以上５０ｍｍ以下（例えば２０ｍｍ）であるのが好ましい。電極幅ｗ１は、２０ｍｍ以上５０ｍｍ以下（例えば３０ｍｍ）であるのが好ましい。電極間隔及び電極幅をこのように構成すれば、測定すべき抵抗値が概略１ｋΩ〜数１００ｋΩとなり、塩分付着量の検出に必要な表面抵抗率を容易に計測することが可能となる。
【００４９】
電極間隔ｄ１を小さくすると、微小な付着物であっても測定抵抗値に影響を与えることがある。こうした点を考慮すると、電極間隔ｄ１は１０ｍｍ以上であるのが好ましい。また、抵抗（表面抵抗率）の測定のための電界は、１Ｖ／ｃｍ以上であるのが好ましい。さらに、安価な電源で実現でき、かつ、安全性を考慮すると、電極基板１１０に印加される電圧の波高値は５Ｖ以下であるのが好ましい。この場合、電極間隔ｄ１は最大でも５０ｍｍとするのが好ましい。
【００５０】
再び図６〜図８を参照して、筐体１４０は、一対の電極１１４が上側に位置し、かつ、水平面に対する角度α（図８参照）が所定の角度となるように、複数の電極基板１１０Ａ、１１０Ｂ及び１１０Ｃをそれぞれ筐体１４０の開放側が低くなるように傾斜させて保持する。一対の電極１１４が形成されている面（測定面）に塩分が付着し、相対湿度が７０％ＲＨを超えると、潮解性により測定面が湿潤する。相対湿度が９０％ＲＨ近くになると、測定面に付着する水分量が多くなる。電極基板１１０の設置角度αが水平面に対して大きくなり過ぎると、電極基板１１０の測定面が湿潤した際に、測定面に付着した水分とともに塩分が流出する可能性がある。そのため、水平面に対する電極基板１１０の設置角度αは比較的小さい角度（例えば１０度以下）であるのが好ましい。
【００５１】
複数の電極基板１１０Ａ、１１０Ｂ及び１１０Ｃは、風雨に対して塩分の付着し易さを段階的に評価できるように、筐体１４０に設置されている。具体的には、電極基板１１０は、筐体１４０の上面側の開放部を塞ぐように設置されている。電極基板１１０はその下段側の筐体１４０内に設置されており、残りの電極基板１１０はさらにその下段側に筐体１４０内に設置されている。最上段に設置された電極基板１１０Ａは、一対の電極１１４が形成されている測定面が、筐体１４０の上面から露出しているため、降雨の影響を直接受ける。一方、電極基板１１０Ｂ及び１１０Ｃは、筐体１４０の側面の開放部からのみ降雨の影響を受けるので、台風等の風が強い条件のときに塩分付着の影響を受ける。
【００５２】
このように、電極基板１１０の少なくとも１つは、降雨の影響を直接受ける位置、すなわち、塩分が容易に付着する一方、降雨による洗浄の影響を受ける位置に設置されている。さらに、電極基板１１０の少なくとも１つは、台風等の風が強い条件のときのみ塩分付着の影響を受ける位置、すなわち、通常の天候状況では塩分付着の影響をうけにくく、台風等の強風発生時（急速汚損条件）のときに塩分付着の影響を受ける位置に設置されている。これにより、複数の電極基板１１０Ａ、１１０Ｂ及び１１０Ｃでの表面抵抗率を比較することにより、碍子への塩分付着状況（例えば、表面に塩分が多く付着しているか、裏面に塩分が多く付着しているか）等を推定することが可能となる。特に、碍子の裏面に付着した塩分は、降雨による洗浄効果が期待できないため、碍子の洗浄必要性が高く、洗浄が必要な時期を特定するために本汚損検出装置５０は有効である。
【００５３】
湿度センサ１２０は、電極基板１１０の周囲の相対湿度を測定するために、電極基板１１０の近傍に設置されている。湿度センサ１２０は、雨等による水分の影響を直接受けないようにすることが好ましい。本実施の形態では、湿度センサ１２０は、筐体１４０内部に設置されており、カバー１５０にて保護されている。
【００５４】
付着塩分検知部１００は、例えば海岸沿いに設置する場合、側面側の開放部を海岸側に向けて、又は、通常その測定地点にて風を受ける方角に側面側の開放部を向けて設置されるのが好ましい。また、付着塩分検知部１００は、測定精度を高めるために、開放部の向き、又は地面からの高さ等の条件を変えて、複数台を設置するのが好ましい。
【００５５】
［ソフトウェア構成］
図１０を参照して、碍子の塩分付着量を推定するために、汚損検出装置５０で実行されるコンピュータプログラムの制御構造について説明する。このプログラムは、ユーザの操作に応じて開始する。
【００５６】
このプログラムは、相対湿度及び表面抵抗率を一定期間測定するステップＳ１０００と、ステップＳ１０００の後に実行され、一定期間における相対湿度の最高値（最高到達湿度Ｈｍａｘ）及び一定期間における表面抵抗率の最低値Ｒｍｉｎを抽出するステップＳ１０１０と、ステップＳ１０１０の後に実行され、抽出した最高到達湿度Ｈｍａｘに応じて制御の流れを分岐させるステップＳ１０２０とを含む。
【００５７】
このプログラムはさらに、ステップＳ１０２０において、最高到達湿度Ｈｍａｘが７０％ＲＨ以上８０％ＲＨ未満であると判定された場合に実行され、表面抵抗率の最低値Ｒｍｉｎと最高到達湿度Ｈｍａｘとの関係が上記式（４）を満たすか否かを判定し、判定結果に応じて制御の流れを分岐させるステップＳ１０３０と、ステップＳ１０３０において、上記式（４）を満たすと判定された場合に実行され、塩分付着量を０．０６ｍｇ／ｃｍ２以上と推定して、その結果を記録するステップＳ１０４０と、ステップＳ１０３０において、上記式（４）を満たさないと判定された場合に実行され、塩分付着量を０．０６ｍｇ／ｃｍ２未満と推定して、その結果を記録するステップＳ１０５０と、ステップＳ１０２０において、最高到達湿度Ｈｍａｘが８０％ＲＨ以上９０％ＲＨ未満であると判定された場合に実行され、上記式（５）を用いた演算によって塩分付着量Ｓを推定して、その結果を記録するステップＳ１０６０と、ステップＳ１０２０において、最高到達湿度Ｈｍａｘが９０％ＲＨ以上であると判定された場合に実行され、上記式（６）を用いた演算によって塩分付着量Ｓを推定して、その結果を記録するステップＳ１０７０とを含む。
【００５８】
このプログラムはさらに、ステップＳ１０４０、ステップＳ１０５０、ステップＳ１０６０、又はステップＳ１０７０の後に実行され、推定された塩分付着量が予め設定された所定量以上か否かを判定し、判定結果に応じて制御の流れを分岐させるステップＳ１０８０と、ステップＳ１０８０において、推定された塩分付着量が所定量以上であると判定された場合に実行され、警報出力を行なうステップＳ１０９０とを含む。ステップＳ１０９０において警報出力がなされた場合、又は、ステップＳ１０８０において、推定された塩分付着量が所定量以上ではないと判定された場合は、制御はステップＳ１０００に戻る。ステップＳ１０２０において、最高到達湿度Ｈｍａｘが７０％ＲＨ未満であると判定された場合も、制御はステップＳ１０００に戻る。
【００５９】
［動作］
本実施の形態に係る汚損検出装置５０は以下のように動作する。
【００６０】
図１０を参照して、汚損検出装置５０は、例えば昼間の時間帯に計測の開始起点を持つ１日を一定期間として、電極基板１１０毎に相対湿度及び表面抵抗率を測定する（ステップＳ１０００）。測定結果は記録部２４０のデータ記録装置に記録される。一定期間が経過すると、ＣＰＵ２３０は、記録した測定結果から、電極基板１１０毎の最高到達湿度Ｈｍａｘ及び表面抵抗率の最低値Ｒｍｉｎを抽出する（ステップＳ１０１０）。
【００６１】
最高到達湿度Ｈｍａｘが７０％ＲＨ以上８０％ＲＨ未満の場合、ＣＰＵ２３０は、表面抵抗率の最低値Ｒｍｉｎと最高到達湿度Ｈｍａｘとの関係が上記式（４）を満たすか否かを判定する。本実施の形態では、上記式（４）において、定数Ａを１としている。ＣＰＵ２３０は、表面抵抗率の最低値Ｒｍｉｎと最高到達湿度Ｈｍａｘとの関係が上記式（４）を満たすと判定すると（ステップＳ１０３０においてＹＥＳ）、塩分付着量を０．０６ｍｇ／ｃｍ２以上と推定して、その結果を記録部２４０に記録する（ステップＳ１０４０）。一方、ＣＰＵ２３０は、表面抵抗率の最低値Ｒｍｉｎと最高到達湿度Ｈｍａｘとの関係が上記式（４）を満たさないと判定すると（ステップＳ１０３０においてＮＯ）、塩分付着量を０．０６ｍｇ／ｃｍ２未満と推定して、その結果を記録部２４０に記録する（ステップＳ１０５０）。
【００６２】
最高到達湿度Ｈｍａｘが８０％ＲＨ以上９０％ＲＨ未満の場合、ＣＰＵ２３０は、上記式（５）を用いた演算によって塩分付着量Ｓを推定し、その結果を記録部２４０に記録する（ステップＳ１０６０）。最高到達湿度Ｈｍａｘが９０％ＲＨ以上の場合、ＣＰＵ２３０は、上記式（６）を用いた演算によって塩分付着量Ｓを推定し、その結果を記録部２４０に記録する（ステップＳ１０７０）。本実施の形態では、上記式（４）及び上記式（５）において、定数Ｂを２．５としている。なお、最高到達湿度Ｈｍａｘが７０％ＲＨ未満の場合は、ＣＰＵ２３０は、塩分付着量の推定処理を行なわない。
【００６３】
汚損検出装置５０は、これらの推定処理を電極基板１１０毎に行なう。塩分付着量を推定すると、ＣＰＵ２３０は、推定した塩分付着量が予め設定された所定量以上であるか否かを判定する。ＣＰＵ２３０は、推定した塩分付着量が予め設定された所定量以上であると判定すると（ステップＳ１０８０においてＹＥＳ）、中央監視室等に向けて警報を出力する（ステップＳ１０９０）。警報を発するトリガとなる所定量は、例えば０．０６ｍｇ／ｃｍ２とすることができる。トリガとなる所定量は複数種類であってもよい。例えば、０．０６ｍｇ／ｃｍ２、０．２ｍｇ／ｃｍ２、０．５ｍｇ／ｃｍ２等の多段階に所定量を設定し、段階的に異なる警報を発するようにしてもよい。
【００６４】
ＣＰＵ２３０は、最高到達湿度Ｈｍａｘが７０％ＲＨ未満であると判定した場合、又は、塩分付着量の推定処理が終了すると、再び、相対湿度及び表面抵抗率を一定期間測定し（ステップＳ１０００）、上記した処理を繰返す。このようにして、汚損検出装置５０は、連続的に碍子の塩分付着量（汚損度）を監視（モニタ）する。
【００６５】
［本実施の形態の効果］
以上の説明から明らかなように、本実施の形態に係る汚損検出装置５０を利用することにより、以下に述べる効果を奏する。
【００６６】
汚損検出装置５０は、一定期間における相対湿度の最高値（最高到達湿度Ｈｍａｘ）、及び、一定期間における表面抵抗率の最低値Ｒｍｉｎから、予め記憶されている汚損量推定情報に基づいて、電極基板１１０の表面の塩分付着量をそれぞれ推定する。これにより、ヒステリシスの影響を回避した塩分付着量の推定が可能となる。したがって、塩分付着量の推定を精度よく行なうことができる。この汚損検出装置５０を測定対象となる碍子と同じ環境に設置することによって、電極基板１１０の表面の塩分付着量を推定することにより、碍子の塩分付着量を精度よく推定できる。
【００６７】
汚損検出装置５０は、ペルチェ素子のような冷却装置を設けることなく塩分付着量の推定が可能であるため、装置を簡素化できる。加えて、相対湿度と表面抵抗率とから塩分付着量を推定できるため、簡易な構成で連続的に碍子の塩分付着量を監視できる。さらに、こうした構成により、従来の装置に比べて、安価に汚損検出装置５０を提供できる。
【００６８】
汚損検出装置５０は、一対の電極１１４が形成された電極基板１１０を複数含み、電極基板１１０毎に塩分付着量を推定する。複数の電極基板１１０の少なくとも１つは、直接雨の当たる位置に設置され、他の電極基板１１０の少なくとも１つは、直接雨は当たらないが、風雨の影響を受ける位置（例えば台風等の風が強い条件で汚損される位置）に設置される。各電極基板１１０による測定結果を比較することにより、設置場所による累積汚損の違いと、風雨による急速汚損の程度を推定できる。すなわち、天候の影響に応じた汚損度の評価を行なうことができる。これにより、碍子の表面側と裏面側とを分離して塩分付着量を評価できる。
【００６９】
さらに、塩分付着量の推定に上記式（４）、式（５）、及び式（６）を用いることにより、相対湿度の変動に対して表面抵抗率の挙動がヒステリシスを持つ場合であっても、塩分付着量の推定精度を容易に高めることができる。
【００７０】
（変形例）
上記実施の形態では、付着塩分検知部に３枚の電極基板を設置する例について示したが、本発明はそのような実施の形態には限定されない。電極基板の設置枚数は、２枚又は４枚以上の複数枚であってもよい。さらに電極基板の設置枚数は、１枚であってもよい。ただし、碍子のような複雑な構造の汚損程度を評価する場合は、電極基板は複数枚であるのが好ましい。電極基板の設置位置（保持位置）は、所望の条件の下での汚損量の評価を可能とするため適宜調整することができる。その際、筐体の形状等を変更することによって、風雨の影響の受け具合を調整してもよい。
【００７１】
上記実施の形態では、同心円状の電極パターンが形成された電極基板を用いた例について示したが、本発明はそのような実施の形態には限定されない。電極基板に形成される電極パターンは、同心円状以外の電極パターンであってもよい。このような電極パターンとして、例えば、直線状の２つの電極を対向配置させた電極パターンが挙げられる。こうした電極パターンが形成された電極基板を図１１に示す。図１１を参照して、電極基板３１０は、絶縁基板１１２と、絶縁基板１１２の表面上に形成された一対の電極３１４とを含む。一対の電極３１４は、金属等の導体から構成されており、絶縁基板１１２の表面上に対向配置するように形成されている。電極基板３１０についても、電極３１４の腐食防止を目的に、金属メッキ等の処置が実施されていると好ましい。
【００７２】
上記実施の形態では、同じ電極パターンが形成された複数の電極基板を付着塩分検知部に設置する例について例について示したが、本発明はそのような実施の形態には限定されない。設置される複数の電極基板の電極パターンは、適宜、異なるパターンとしてもよい。
【００７３】
上記実施の形態では、複数の電極基板のいずれも同じ角度で傾斜させて筐体に保持する例について示したが、本発明はそのような実施の形態には限定されない。複数の電極基板の少なくとも一部が異なる角度となるように傾斜させて筐体に保持するようにしてもよい。
【００７４】
上記実施の形態では、海水塩分（塩化ナトリウム）を主な計測対象とし、塩分付着量を汚損量として推定する例について示したが、本発明はそのような実施の形態には限定されない。例えば、融雪剤塩分（塩化カルシウム）の付着量を汚損量として推定することもできる。
【００７５】
本実施の形態では、７０％ＲＨ未満、７０％ＲＨ以上８０％ＲＨ未満、８０％ＲＨ以上９０％ＲＨ未満、及び９０％ＲＨ以上を到達湿度閾値として設定した例について示したが、本発明はそのような実施の形態には限定されない。測定する塩分によっては到達湿度閾値が変わることがあるため、測定対象に応じて、到達湿度閾値を適宜設定するのが好ましい。
【００７６】
上記実施の形態では、式（４）の定数Ａを１に、式（５）及び式（６）の定数Ｂを２．５とした例について示したが、本発明はそのような実施の形態には限定されない。これらの定数は、測定条件に応じて定義変更することができる。
【００７７】
上記実施の形態では、式（４）〜式（６）を用いた演算により汚損量（塩分付着量）を推定する例について示したが、本発明はそのような実施の形態には限定されない。例えば、最高到達湿度及び抵抗最低値に対する汚損量が示されたテーブルを汚損量推定情報として記憶しておき、このテーブルを参照して汚損量を推定するようにしてもよい。
【００７８】
上記実施の形態では、推定された塩分付着量が予め設定された所定量以上である場合に警報出力を行なう例について示したが、本発明はそのような実施の形態には限定されない。警報出力を行なわない構成であってもよい。その場合、例えば、推定された塩分付着量のデータを中央監視室等に向けて出力するようにしてもよい。
【００７９】
上記実施の形態では、湿度センサを付着塩分検知部に設置する例について示したが、本発明はそのような実施の形態には限定されない。湿度センサは、例えば、汚損検出装置の制御装置側に設置されていてもよい。ただし、相対湿度のより正確な測定のためには、上記実施の形態で示したように、湿度センサを付着塩分検知部側に設置するのが好ましい。
【００８０】
さらに、相対湿度及び表面抵抗率の測定期間である一定期間は、１日以外であってもよいし、一定期間の開始起点は昼間の時間帯以外であってもよい。ただし、上述した理由により、一定期間は、昼間の時間帯に計測の開始起点を持つ１日であるのが好ましい。
【００８１】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【符号の説明】
【００８２】
５０                                        汚損検出装置
６０                                        ケーブル
１００                                      付着塩分検知部
１１０、１１０Ａ〜１１０Ｃ、３１０          電極基板
１１２                                      絶縁基板
１１４、３１４                              一対の電極
１２０                                      湿度センサ
１３０                                      コネクタ
１４０                                      筐体
１５０                                      カバー
２００                                      制御装置
２１０                                      湿度計測回路
２２０                                      表面抵抗率計測回路
２３０                                      ＣＰＵ
２４０                                      記録部
２５０                                      タイマー
ｄ１、ｄ２                                  電極間隔
ｗ１、ｗ２                                  電極幅
α                                          設置角度
【図１】
2018142470.tif 000013
【図２】
2018142470.tif 000014
【図３】
2018142470.tif 000015
【図４】
2018142470.tif 000016
【図５】
2018142470.tif 000017
【図６】
2018142470.tif 000018
【図７】
2018142470.tif 000019
【図８】
2018142470.tif 000020
【図９】
2018142470.tif 000021
【図１０】
2018142470.tif 000022
【図１１】
2018142470.tif 000023